【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
遊技の進行を制御する主制御装置と、当該遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行するための手順が定義されたスケジューラーデータを取得し、取得した前記スケジューラーデータに基づいて処理を実行する演出実行部と、
を備え、
前記スケジューラーデータは、演出装置を制御可能なファンクションを含んで構成され、
前記ファンクションには、実行中のスケジューラーデータから他のスケジューラーデータの実行を呼び出すファンクションが含まれ、
当該ファンクションは、呼び出すスケジューラーデータとして２以上のスケジューラーデータを指定可能な分岐情報を設定可能とし、当該他のスケジューラーデータの実行後に、呼び出し元のスケジューラーデータの処理に復帰可能とし、
さらに、表示装置に画像を表示する演出を実行する表示演出実行手段と、
前記画像を表示する演出を実行するために必要なプログラムデータを記憶するプログラムデータ記憶手段と、
前記表示装置に表示する画像データを画像表示情報として記憶する画像データ記憶手段と、
前記画像データ記憶手段に記憶された画像表示情報に基づいて前記表示装置に表示にする描画データを記憶する描画データ記憶手段と、
前記表示演出実行手段からの指示情報に基づいて、前記画像データ記憶手段から読み出した画像データにより前記描画データを生成して前記描画データ記憶手段に記憶し、当該描画データ記憶手段に記憶された描画データに基づいて前記表示装置に表示画像を出力する画像制御手段と、
前記画像表示情報のうち特定の画像を表示するための特定画像表示情報を一時的に記憶可能な画像表示情報一時記憶手段と、
を備え、
前記プログラムデータには、所定の処理を実行するための演出識別情報が設定されているものが含まれており、
前記演出識別情報には、前記特定の画像に対応する特定演出識別情報が含まれており、
前記表示演出実行手段は、
前記プログラムデータに設定された前記演出識別情報に対応する処理を呼び出し、当該演出識別情報に対応した処理を実行し、
前記演出識別情報が前記特定演出識別情報の場合には、前記特定の画像を変形させるための変形指示情報を生成し、
前記画像制御手段は、前記表示演出実行手段からの前記変形指示情報に基づいて、前記特定の画像を変形させ、当該変形させた画像に対応する特定画像表示情報に基づいて生成された描画データを前記描画データ記憶手段に記憶する
ことを特徴とする遊技機。
【請求項２】
遊技の進行を制御する主制御装置と、当該遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行するための手順が定義されたスケジューラーデータを取得し、取得した前記スケジューラーデータに基づいて処理を実行する演出実行部と、
を備え、
前記スケジューラーデータは、演出装置を制御可能なファンクションを含んで構成され、
前記ファンクションには、実行中のスケジューラーデータから他のスケジューラーデータの実行を呼び出すファンクションが含まれ、
当該ファンクションは、呼び出すスケジューラーデータとして２以上のスケジューラーデータを指定可能な分岐情報を設定可能とし、当該呼び出し元のスケジューラーデータの処理に復帰することなく他のスケジューラーデータによる処理を実行可能とし、
さらに、表示装置に画像を表示する演出を実行する表示演出実行手段と、
前記画像を表示する演出を実行するために必要なプログラムデータを記憶するプログラムデータ記憶手段と、
前記表示装置に表示する画像データを画像表示情報として記憶する画像データ記憶手段と、
前記画像データ記憶手段に記憶された画像表示情報に基づいて前記表示装置に表示にする描画データを記憶する描画データ記憶手段と、
前記表示演出実行手段からの指示情報に基づいて、前記画像データ記憶手段から読み出した画像データにより前記描画データを生成して前記描画データ記憶手段に記憶し、当該描画データ記憶手段に記憶された描画データに基づいて前記表示装置に表示画像を出力する画像制御手段と、
前記画像表示情報のうち特定の画像を表示するための特定画像表示情報を一時的に記憶可能な画像表示情報一時記憶手段と、
を備え、
前記プログラムデータには、所定の処理を実行するための演出識別情報が設定されているものが含まれており、
前記演出識別情報には、前記特定の画像に対応する特定演出識別情報が含まれており、
前記表示演出実行手段は、
前記プログラムデータに設定された前記演出識別情報に対応する処理を呼び出し、当該演出識別情報に対応した処理を実行し、
前記演出識別情報が前記特定演出識別情報の場合には、前記特定の画像を変形させるための変形指示情報を生成し、
前記画像制御手段は、前記表示演出実行手段からの前記変形指示情報に基づいて、前記特定の画像を変形させ、当該変形させた画像に対応する特定画像表示情報に基づいて生成された描画データを前記描画データ記憶手段に記憶する
ことを特徴とする遊技機。
【手続補正２】
【補正対象書類名】明細書
【補正対象項目名】０００６
【補正方法】変更
【補正の内容】
【０００６】
上述した目的を達成するため、本発明の代表的な実施形態では、
遊技の進行を制御する主制御装置と、当該遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行するための手順が定義されたスケジューラーデータを取得し、取得した前記スケジューラーデータに基づいて処理を実行する演出実行部と、
を備え、
前記スケジューラーデータは、演出装置を制御可能なファンクションを含んで構成され、
前記ファンクションには、実行中のスケジューラーデータから他のスケジューラーデータの実行を呼び出すファンクションが含まれ、
当該ファンクションは、呼び出すスケジューラーデータとして２以上のスケジューラーデータを指定可能な分岐情報を設定可能とし、当該他のスケジューラーデータの実行後に、呼び出し元のスケジューラーデータの処理に復帰可能とし、
さらに、表示装置に画像を表示する演出を実行する表示演出実行手段と、
前記画像を表示する演出を実行するために必要なプログラムデータを記憶するプログラムデータ記憶手段と、
前記表示装置に表示する画像データを画像表示情報として記憶する画像データ記憶手段と、
前記画像データ記憶手段に記憶された画像表示情報に基づいて前記表示装置に表示にする描画データを記憶する描画データ記憶手段と、
前記表示演出実行手段からの指示情報に基づいて、前記画像データ記憶手段から読み出した画像データにより前記描画データを生成して前記描画データ記憶手段に記憶し、当該描画データ記憶手段に記憶された描画データに基づいて前記表示装置に表示画像を出力する画像制御手段と、
前記画像表示情報のうち特定の画像を表示するための特定画像表示情報を一時的に記憶可能な画像表示情報一時記憶手段と、
を備え、
前記プログラムデータには、所定の処理を実行するための演出識別情報が設定されているものが含まれており、
前記演出識別情報には、前記特定の画像に対応する特定演出識別情報が含まれており、
前記表示演出実行手段は、
前記プログラムデータに設定された前記演出識別情報に対応する処理を呼び出し、当該演出識別情報に対応した処理を実行し、
前記演出識別情報が前記特定演出識別情報の場合には、前記特定の画像を変形させるための変形指示情報を生成し、
前記画像制御手段は、前記表示演出実行手段からの前記変形指示情報に基づいて、前記特定の画像を変形させ、当該変形させた画像に対応する特定画像表示情報に基づいて生成された描画データを前記描画データ記憶手段に記憶する
ことを特徴とする遊技機。